(57)【要約】【課題】両面接着材とフレキシブルディスクとの間に空気が入らないようにして、ディスク歪みを解消し、品質を一定に保つことができる記録ディスクメディア及びその製造方法を提供する。【解決手段】フレキシブルディスク３１の中心部とハブ３２との間に、表裏両面に接着面をもつ環状の両面接着材８０を設け、この両面接着材８０でフレキシブルディスク３１とハブ３２とを接着して一体化してなる記録ディスクメディアにおいて、両面接着材８０の接着面８０１における凸凹の算術平均高さが、フレキシブルディスク３１の接着面３１２における凸凹の算術平均高さの約５００以上２０００倍以下の範囲内で、互いに接着し合うフレキシブルディスク３１の接着面３１２と両面接着材８０の接着面８０１との間に表面粗さ差を設けてフレキシブルディスク３１と両面接着材８０とを接着してなる記録ディスクメディアである。【選択図】図５
2007164881.tif 000002
【特許請求の範囲】
【請求項１】
フレキシブルディスクの中心部とハブとの間に、表裏両面に接着面をもつ環状の両面接着材を設け、この両面接着材で前記フレキシブルディスクと前記ハブとを接着して一体化してなる記録ディスクメディアにおいて、
前記両面接着材の接着面における凸凹の算術平均高さが、前記フレキシブルディスクの接着面における凸凹の算術平均高さの約５００倍以上２０００倍以下の範囲内で、互いの接着面に表面粗さ差を設け、前記フレキシブルディスクと両面接着材とを接着固定してなることを特徴とする記録ディスクメディア。
【請求項２】
前記フレキシブルディスクの接着面における凸凹の算術平均高さが１０ｎｍ以下で、前記両面接着材の厚みが１０μｍ〜１５０μｍであることを特徴とする請求項１に記載の記録ディスクメディア。
【請求項３】
フレキシブルディスクの中心部とハブとの間に、表裏両面に接着面をもつ環状の両面接着材を設け、この両面接着材で前記フレキシブルディスクと前記ハブとを接着して一体化する記録ディスクメディアの製造方法において、
前記両面接着材の接着面における凸凹の算術平均高さが、前記フレキシブルディスクの接着面における凸凹の算術平均高さに対して約５００倍以上２０００倍以下の範囲で、前記フレキシブルディスクの接着面と前記両面接着材の接着面との間に表面粗さ差を設け、前記フレキシブルディスクと前記両面接着材との間を圧接して接着固定するようにしたことを特徴とする記録ディスクメディアの製造方法。
【請求項４】
押し付け面が凸状の曲面をもつ加圧治具を使用し、前記フレキシブルディスクの中心部上に配置されている前記両面接着材の中心に前記加圧治具の押し付け面の中心を合わせて、前記加圧治具の押し付け面を前記両面接着材に押し付け、前記両面接着材から前記フレキシブルディスクに対して押し付けられる力が中心から外側に向かって加わるようにして接着を行う請求項４記載の記録ディスクメディアの製造方法。
【発明の詳細な説明】
【技術分野】
【０００１】
本発明は、記録ディスクメディア及びのその製造方法に関し、より詳しくはカートリッジケース内に収容して使用される記録ディスクカートリッジ用の記録ディスクメディア及びその製造方法に関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。
特許文献１に記載の記録ディスクカートリッジ８００は、図９に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。記録ディスクメディア８３０は、円盤状のフレキシブルディスク８３１と、このフレキシブルディスク８３１を支持するハブ８３２とから構成されている。かかる記録ディスクカートリッジ８００は、専用のドライブ装置（図示省略）に装着されて使用される。
【０００４】
カートリッジケース８１０は、上シェル８１１と下シェル８１２とから構成されており、記録ディスクカートリッジ８００がドライブ装置に装着されたときにドライブ装置のヘッドが記録ディスクメディア８３０にアクセスできるように、平面視くさび形のアクセス用開口部８１３が形成されている。また、下シェル８１２には、記録ディスクカートリッジ８００がドライブ装置に装着されたときにドライブ装置のスピンドルがハブ８３２にチャックできるように、チャック用ハブ孔８１５が形成されている。
【０００５】
ロータリシャッタ８２０は、円盤状の上シャッタ８２３と下シャッタ８２４とから構成されており、記録ディスクメディア８３０をアクセス用開口部８１３から露出させるための切欠８２１を有している。この切欠８２１は、アクセス用開口部８１３と対応する形状を有している。また、ロータリシャッタ８２０は、カートリッジケース８１０内で回動できるように上シェル８１１に結合されている。ロータリシャッタ８２０が閉位置にあるとき、カートリッジケース８１０のアクセス用開口部８１３はロータリシャッタ８２０の切欠８２１以外の部分によって塞がれる。そのため、記録ディスクメディア８３０は外部に露出しない。ロータリシャッタ８２０が開位置にあるとき、ロータリシャッタ８２０の切欠８２１とカートリッジケース８１０のアクセス用開口部８１３とが重なって、アクセス用開口部８１３から記録ディスクメディア８３０が露出する。ロータリシャッタ８２０は、図示しないばねにより付勢されて、ドライブ装置に装着されていないときは閉位置に配置され、ドライブ装置に装着されたときは開位置に配置されるようになっている。
また、ロータリシャッタ８２０の下シャッタ８２４には、チャック用ハブ孔８１５と対応する形状を有するハブ孔８２２が形成されており、ハブ８３２の下面は、このハブ孔８２２を介してチャック用ハブ孔８１５から露出している。
【０００６】
記録ディスクメディア８３０は、円盤状のフレキシブルディスク８３１とハブ８３２とから構成されており、フレキシブルディスク８３１とハブ８３２との間は、表裏両面に接着面をもつ環状の両面接着材（図示省略）で接着固定されている。
【特許文献１】米国特許第６２５６１６８号明細書
【発明の開示】
【発明が解決しようとする課題】
【０００７】
しかしながら、特許文献１等に記載される従来の記録ディスクメディアのように、フレキシブルディスクとハブとの固定に両面接着材を用いている構造では、磁気ディスクメディア毎にサーボ品位が変動し、品質が保てないという問題が発生している。原因解析の結果、その変動はフレキシブルディスク毎に歪みが異なっていることが原因であるということが判明した。
また、歪みの発生原因も、両面接着材とフレキシブルディスクとの間が接着されるとき、貼り付け方によって、両面接着材とフレキシブルディスクとの間に空気が入り、これがフレキシブルディスクに歪みを起こし、ヘッドのサーボ追従を妨げているということが判明した。
さらに、鋭意研究の結果、両面接着材とフレキシブルディスクとの間に空気が入らないようにするには、両面接着材の接着面の表面粗さとフレキシブルディスクの接着面の表面粗さとの差を大きくすると、この差で接着時に空気の逃げ場ができて円周上均一に接着できるようになり、ディスク歪みが解消されて品質が保たれることが分かった。
【０００８】
そこで、本発明は、両面接着材とフレキシブルディスクとの間に空気が入らないようにして、ディスク歪みを解消し、品質を一定に保つことができる記録ディスクメディア及びその製造方法を提供することを課題とする。
【課題を解決するための手段】
【０００９】
前記課題を解決するための手段として、請求項１に係る発明は、フレキシブルディスクの中心部とハブとの間に、表裏両面に接着面をもつ環状の両面接着材を設け、この両面接着材で前記フレキシブルディスクと前記ハブとを接着して一体化してなる記録ディスクメディアにおいて、前記両面接着材の接着面における凸凹の算術平均高さが、前記フレキシブルディスクの接着面における凸凹の算術平均高さの約５００倍以上２０００倍以下の範囲内で、互いの接着面に表面粗さ差を設け、前記フレキシブルディスクと両面接着材とを接着固定してなることを特徴とする記録ディスクメディアである。
【００１０】
このような記録ディスクメディアによれば、両面接着材の接着面における凸凹の算術平均高さとフレキシブルディスクの接着面における凸凹の算術平均高さとに差をつけることで、接着時に、両面接着材とフレキシブルディスクとの間に空気の逃げ場ができ、両面接着材とフレキシブルディスクとの間に空気が入り込むことなく円周上均一に接着できる。これにより、ディスク歪みが解消される。
なお、前記算術平均高さはＪＩＳ  Ｂ  ０６０１：２００１に規定される方法で算出するのが好ましく、中でも、粗さ曲線の算術平均高さＲａを用いるのが好ましい。
【００１１】
請求項２に係る発明は、前記フレキシブルディスクの接着面における凸凹の算術平均高さが１０ｎｍ以下で、前記両面接着材の厚みが１０μｍ〜１５０μｍであることを特徴とする請求項１に記載の記録ディスクメディアである。
【００１２】
このような記録ディスクメデアによれば、両面接着材とフレキシブルディスクとの接着時に空気が良く逃げ、空気が入り込むことなく円周上均一に接着できる。
【００１３】
請求項３に係る発明は、フレキシブルディスクの中心部とハブとの間に、表裏両面に接着面をもつ環状の両面接着材を設け、この両面接着材で前記フレキシブルディスクと前記ハブとを接着して一体化する記録ディスクメディアの製造方法において、前記両面接着材の接着面における凸凹の算術平均高さが、前記フレキシブルディスクの接着面における凸凹の算術平均高さに対して約５００倍以上２０００倍以下の範囲で、前記フレキシブルディスクの接着面と前記両面接着材の接着面との間に表面粗さ差を設け、前記フレキシブルディスクと前記両面接着材との間を圧接して接着固定するようにしたことを特徴とする記録ディスクメディアの製造方法である。
【００１４】
このような記録ディスクメディアの製造方法によれば、両面接着材の接着面における凸凹の算術平均高さとフレキシブルディスクの接着面における凸凹の算術平均高さとに差をつけることで、接着時に、両面接着材とフレキシブルディスクとの間に空気の逃げ場ができ、両面接着材とフレキシブルディスクとの間に空気が入り込むことなく円周上均一に接着できる。これにより、ディスク歪みが解消される。
【００１５】
請求項４に係る発明は、押し付け面が凸状の曲面をもつ加圧治具を使用し、前記フレキシブルディスクの中心部上に配置されている前記両面接着材の中心に前記加圧治具の押し付け面の中心を合わせて、前記加圧治具の押し付け面を前記両面接着材に押し付け、前記両面接着材から前記フレキシブルディスクに対して押し付けられる力が中心から外側に向かって加わるようにして接着を行う請求項４記載の記録ディスクメディアの製造方法である。
【００１６】
このような記録ディスクメディアの製造方法によれば、加圧治具の押し付け面を両面接着材に押し付けて行くと、押し付け面が凸状の曲面をもっているので、両面接着材から前記前記フレキシブルディスクに対して押し付けられる力が、中心から外側に向かって放射状に加わり、このとき空気を外側に押し出しながら接着が行われる。この空気の押出しにより、フレキシブルディスクと両面接着材との間に空気が入り込むことなく円周上均一に接着できる。
【発明の効果】
【００１７】
本発明によれば、両面接着材とフレキシブルディスクとの間に空気が入らないようにして、ディスク歪みを解消し、品質を一定に保つことができる記録ディスクメディア及びその製造方法を提供することができる。
【発明を実施するための最良の形態】
【００１８】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は、本実施形態に係るロータリシャッタを示す斜視図であり、（ａ）は前方斜め上方からみた図、（ｂ）は後方斜め下方からみた図である。図４は、本実施形態に係る記録ディスクカートリッジを下方からみた平面図である。図５は、記録ディスクカートリッジに収容した記録ディスクメディアの要部拡大斜視図である。図６は、記録ディスクメディアの製造方法の一例を説明する要部断面図である。図７は、本実施形態に係る記録ディスクカートリッジの要部の断面図である。図８は、本実施形態に係る記録ディスクカートリッジをドライブ装置に挿入した状態を示す斜視図である。
なお、本実施形態において方向を説明する場合は、図１に示す前、後、右、左、上、下、を基準として説明する。
【００１９】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、を主に備えている。そして、このような記録ディスクカートリッジ１は、専用のドライブ装置Ｄ（図８参照）に、その前側から挿入されて使用される。
【００２０】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図８参照）。
【００２１】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図８参照）の動作に干渉しない形状となっている。
【００２２】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００２３】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２４】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２５】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２６】
さらに、上シェル１１は、その中央部に、ロータリシャッタ２０を回動可能に止め付けるセンタピン５０と係合する係合孔１１３を有している。
【００２７】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２８】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００２９】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００３０】
また、アーチ状フレーム１３１は、下向きに開口し、カートリッジケース１０の内部と外部を連通させる係合溝１３１ｅ（図４参照）を有している。この係合溝１３１ｅは、後記するロック片７０が係合する溝である。
【００３１】
Ｖノッチ部材１３３は、後記するように閉方向に付勢されるロータリシャッタ２０を閉位置で止めるストッパとしての役割と（図４参照）、ドライブ装置Ｄとの係合部としての役割とを備える部材であり、左端部１０ｄの前側に配置されている。
【００３２】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００３３】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図３、図７参照）。
【００３４】
ロータリシャッタ２０は、図２及び図３に示すように、記録ディスクメディア３０を外部に臨ませる切欠部２０１を有している（図８参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３５】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図４、図８参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図８参照）。
【００３６】
また、ロータリシャッタ２０は、図示しない付勢手段（例えば渦巻きばね）によって、閉方向（図４、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図４、図８参照）。
【００３７】
このようなロータリシャッタ２０は、図２及び図３に示すように、金属プレートからなる上シャッタ２１及び下シャッタ２２と、これらの間に介在した合成樹脂製のシャッタウォール２３と、を備えて構成されている。
【００３８】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
また、上シャッタ２１は、その中央部に、前記したセンタピン５０を挿通させるための挿通孔２１２を有している。
【００３９】
下シャッタ２２は、その中央部に、記録ディスクメディア３０の後記するハブ３２を外部に露出させるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００４０】
さらに、下シャッタ２２の下面には、ロータリシャッタ２０を回動させるためのシャッタノブ２４が取り付けられている（図４（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図８参照）。
【００４１】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタの側面から、その径方向外側に向かって徐々に離れるように延出した細長の金属片である。ロック片７０の先端部７１は、径方向内側に向かってやや屈曲している（図３、図４参照）。
【００４２】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００４３】
また、ロック片７０の先端部７１は、係合溝１３１ｅを介して、記録ディスクカートリッジ１の右側方に臨んでいる。そして、記録ディスクカートリッジ１がドライブ装置Ｄ（図８参照）に挿入されると、ドライブ装置Ｄ内のロック解除ピン（図示省略）が、ロック片７０の先端部７１を径方向内側に押し（図４の矢印Ａ６参照）、ロック片７０と係合溝１３１ｅとの係合が解除され、ロータリシャッタ２０が回動可能となるように構成されている。
【００４４】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００４５】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００４６】
フレキシブルディスク３１は、例えば、ポリエステルシート等からなる円盤状の支持体の両面に磁性層等の記録層を形成したものである。
ハブ３２は、フレキシブルディスク３１を支持するものであり、磁気吸着特性を有する金属製の円筒状部材である。また、ハブ３２は、上面にフレキシブルディスク３１の取り付け部３２２（図２参照）を備えると共に、下面にドライブ装置Ｄ（図８参照）のスピンドル（図示省略）にチャックされるチャック部３２１を備えている（図１（ｂ）、図７参照）。
なお、ハブ３２は、磁気吸着特性を有する金属製の円筒状部材に限られるものではない。例えば、磁気吸着特性を有する金属プレートと一体に形成した合成樹脂製の円筒状部材でハブ３２を構成してもよい。
【００４７】
また、記録ディスクメディア３０は、図５に示すように、取り付け部３２２とフレキシブルディスク３１との間に、表裏面に接着面をもつ環状の両面接着材８０が設けられ、この両面接着材８０によってセンター孔３１１の周りの部分３１２(以下、この部分を「接着面３１２」という)と取り付け部３２２とが接着固定される。なお、フレキシブルディスク３１の接着面３１２の表面の粗さ、すなわち接着面３１２における凸凹の算術平均高さｈ１は、フレキシブルディスク３１全体の表面における凸凹の算術平均高さと同じ１０ｎｍ以下で、また高密度化されたフレキシブルディスク３１の場合では算術平均高さが３ｎｍ以下になる。
【００４８】
両面接着材８０は、例えばフィルム状基体の両面に接着剤を塗布したものであり、厚みは約１０μｍ〜１５０μｍ、好ましくは５０μｍ〜１００μｍのものを使用する。また、フレキシブルディスク３１の接着面３１２との接着時のことを考慮し、両面接着材８０の接着面８０１(図６参照)における凸凹の算術平均高さｈ２を、フレキシブルディスク３１の算術平均高さｈ１の約５００倍以上２０００倍以下となるように設定し、両面接着材８０側の接着面８０１における算術平均高さｈ２とフレキシブルディスク３１側の接着面３１２における算術平均高さｈ１との間に差(表面粗さ差)を設けている。すなわち、各接着面(３１２と８０１)における算術平均高さｈ１とｈ２との間に差(表面粗さ差)をつけることで、接着時に空気の逃げ場を作り、フレキシブルディスク３１の接着面３１２と両面接着材８０の接着面８０１との間に空気溜まりができないようにして、ディスク歪みを解消する。
【００４９】
図６は、フレキシブルディスク３１と両面接着材８０との接着方法を示すものである。フレキシブルディスク３１と両面接着材８０との接着では、フレキシブルディスク３１の中心に両面接着材８０の中心を合わせて、この両面接着材８０をフレキシブルディスク３１の上に重ね、次いで両面接着材８０の上から加圧治具９を押し付け、フレキシブルディスク３１と両面接着材８０との間に押圧力を付与して接着するものである。
【００５０】
加圧治具９は、断面円形をした軸状の弾性部材で、押し付け面９１となる下端面は、図６に示すように、中央から外周側に行く従って、徐々に上側へ傾斜するようにしてなる、凸状の曲面で形成されている。そして、フレキシブルディスク３１の上に重ねられている両面接着材８０の上から、押し付け面９１の中心を両面接着材８０の中心に合わせて、加圧治具９を両面接着材８０に押し付けると、押し付け面９１の曲面形状により、両面接着材８０とフレキシブルディスク３１との間に付与される押し付け力は、中心から外周側に向かって放射状に加わることになる。この時、両面接着材８０とフレキシブルディスク３１との間に入り込んでいた空気が外側に逃がされ、これによってフレキシブルディスク３１の接着面３１２と両面接着材８０の接着面８０１との間に空気溜まりが作られないようにして接着が進行する。また、この接着時、両面接着材８０側の接着面８０１における算術平均高さｈ２とフレキシブルディスク３１側の接着面３１２における算術平均高さｈ１との間に差(表面粗さ差)を設けているので、空気の逃げ場が良く作られ、空気溜まりができるのをさらに抑える。
【００５１】
＜ライナ６０＞
ライナ６０，６０は、記録ディスクメディア３０をクリーニングすると共に、記録ディスクメディア３０を保護するものであり、例えば、不織布等から形成されている。そして、図７に示すように、ライナ６０，６０は、上シャッタ２１及び下シャッタ２２のフレキシブルディスク３１（記録ディスクメディア３０）側にそれぞれ位置しており、接着テープなどを介して上シャッタ２１又は下シャッタ２２に固定されている。
【００５２】
＜ハブ孔シャッタ４０＞
ハブ孔シャッタ４０は、図２に示すように、下シェル１２とハブ３２との間の隙間Ｓ（図７、図８参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００５３】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００５４】
また、第１シャッタ４１は、その他方側に、ハブ３２と嵌り合うように半円形状に切り欠かれた嵌合部４１２を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００５５】
さらに、第１シャッタ４１は、下シャッタ２２の下側面に設けられた係合突起２２３ａが係合する係合長孔４１３を有している。同様に、第２シャッタ４２は、係合突起２２３ａが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００５６】
≪記録ディスクカートリッジの作用効果≫
次に、記録ディスクカートリッジ１の作用効果について説明する。まず、ロータリシャッタ２０及びハブ孔シャッタ４０の動作について図８を主に参照して説明し、その後、両面接着材８０の作用効果について説明する。
【００５７】
＜ロータリシャッタ２０の動作＞
ロータリシャッタ２０は、図８右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００５８】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図４、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図４、矢印Ａ２参照）。
【００５９】
そうすると、シャッタノブ２４が固定されたロータリシャッタ２０は、カートリッジケース１０内でセンタピン５０を軸として回動する（図４、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００６０】
そして、図８左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００６１】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図４参照）。
【００６２】
＜ハブ孔シャッタ４０の動作＞
次に、このようなロータリシャッタ２０の動作に連動するハブ孔シャッタ４０について説明する。
ハブ孔シャッタ４０は、図８右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００６３】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図４、矢印Ａ４、Ａ４参照）。
【００６４】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図４、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図４、矢印Ａ５参照）。
【００６５】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図８左側参照）。その結果として、ハブ３２及びこれを備える記録ディスクメディア３０は、ハブ３２にチャックするドライブ装置Ｄのスピンドル（図示省略）により、良好に回転することができる。
【００６６】
なお、記録ディスクカートリッジ１がドライブ装置Ｄから取り出されると、閉位置に戻るロータリシャッタ２０に連動して、ハブ孔シャッタ４０は隙間Ｓを閉じる。
【００６７】
＜両面接着材８０の作用効果＞
このような記録ディスクメディア３０によれば、両面接着材８０の接着面８０１における凸凹の算術平均高さｈ２とフレキシブルディスク３１の接着面３１２における凸凹の算術平均高さｈ１とに差をつけることで、接着時に、両面接着材８０とフレキシブルディスク３１との間に空気の逃げ場ができ、両面接着材８０とフレキシブルディスク３１との間に空気が入り込むことなく円周上均一に接着できる。これにより、ディスク歪みが解消される。
【００６８】
また、フレキシブルディスク３１の接着面３１２における凸凹の算術平均高さｈ１を１０ｎｍ以下、より好ましくは３ｎｍ以下とし、両面接着材８０の厚みを１０μｍ〜１５０μｍとすれば、両面接着材８０とフレキシブルディスク３１との接着時に空気が良く逃げ、空気が入り込むことなく円周上均一に接着できる。
【００６９】
また、このとき、図６に示すように、フレキシブルディスク３１の中心部上に両面接着材８０の中心を配置し、これに加圧治具９の押し付け面９１の中心を合わせて押し付ければ、両面接着材８０からフレキシブルディスク３１に対して押し付けられる力が中心から外側に向かって加わるようにして接着が行われるので、両面接着材８０とフレキシブルディスク３１との接着時に空気が良く逃げ、空気が入り込むことなく円周上均一に接着できる。
【００７０】
以上、本発明の好適な実施形態について説明したが、本発明は前記実施形態に限定されず、本発明の趣旨を逸脱しない範囲で、適宜変更することができる。
【図面の簡単な説明】
【００７１】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】本実施形態に係るロータリシャッタを示す斜視図であり、（ａ）は前方斜め上方からみた図、（ｂ）は後方斜め下方からみた図である。
【図４】本実施形態に係る記録ディスクカートリッジを下方からみた平面図である。
【図５】同上記録ディスクカートリッジに収容した記録ディスクメディアの要部拡大斜視図である。
【図６】同上記録ディスクメディアの製造方法の一例を説明する要部断面図である。
【図７】本実施形態に係る記録ディスクカートリッジの要部の断面図である。
【図８】本実施形態に係る記録ディスクカートリッジをドライブ装置に挿入した状態を示す斜視図である。
【図９】（ａ）は、従来の記録ディスクカートリッジの上側を前方左側から見下ろした様子を示す図、（ｂ）は、この記録ディスクカートリッジを構成するロータリシャッタの分解斜視図である。
【符号の説明】
【００７２】
１      記録ディスクカートリッジ
１０    カートリッジケース
２０    ロータリシャッタ
３０    記録ディスクメディア
３１    フレキシブルディスク
３１１  センター孔
３１２  接着面
３２    ハブ
３２１  チャック部
３２２  取り付け部
８０    両面接着材
８０１  接着面
９      加圧治具
９１    押し付け面
ｈ１    フレキシブルディスク側の算術平均高さ
ｈ２    両面接着材側の算術平均高さ
【図１】
2007164881.tif 000003
【図２】
2007164881.tif 000004
【図３】
2007164881.tif 000005
【図４】
2007164881.tif 000006
【図５】
2007164881.tif 000007
【図６】
2007164881.tif 000008
【図７】
2007164881.tif 000009
【図８】
2007164881.tif 000010
【図９】
2007164881.tif 000011